(57)【要約】要約書なし。【特許請求の範囲】
【請求項１】
複数のパーツを組み合わせることにより構成される複数種の物品からなる物品群のディスプレイであって、前記物品のパーツを表示するパーツ表示部と、前記物品の選択可能な色を表示する色表示部と、前記物品を表示する物品表示部とを有し、前記物品表示部には複数の物品が２以上の概念軸に沿って順次配置されているディスプレイ。
【請求項２】
パーツ表示部若しくは色表示部と物品表示部との間に、パーツから物品への遷移を表示する誘導部を有する請求項１に記載のディスプレイ。
【請求項３】
パーツ表示部若しくは色表示部と誘導部とが互いに接して設けられており、前記誘導部と物品表示部とが互いに接して設けられている請求項１に記載のディスプレイ。
【請求項４】
パーツ表示部、色表示部、誘導部、物品表示部が、順次直線的に配置されたものである請求項２に記載のディスプレイ。
【請求項５】
パーツ表示部および色表示部を略中心として、誘導部と物品表示部とが、前記中心の周辺部に順次配置されたものである請求項２に記載のディスプレイ。
【請求項６】
パーツの数が３以上２０以下である請求項１に記載のディスプレイ。
【請求項７】
パーツ表示部が、パーツを略直線的に配置したものである請求項１に記載のディスプレイ。
【請求項８】
物品表示部における２以上の概念軸の少なくとも２本が、互いに交差して設けられている請求項１に記載のディスプレイ。
【請求項９】
物品表示部における２以上の概念軸の少なくとも２本が、互いに略平行に設けられている請求項１に記載のディスプレイ。
【請求項１０】
１の概念軸が、物品を構成するパーツの数に対応している請求項１に記載のディスプレイ。
【請求項１１】
１の概念軸が、パーツ表示部から距離的に遠い部分と近い部分を生じるように設けられ、かつ前記概念軸は物品を構成するパーツの数に対応するものであり、前記パーツ表示部から遠ざかるにつれて物品を構成するパーツの数が増加するように前記物品が配置されている請求項１に記載のディスプレイ。
【請求項１２】
１の概念軸が、物品を使用できる人数に対応しており、前記概念軸に沿って、前記人数が少ないものから多いものへと前記物品が順次配置されている請求項１に記載のディスプレイ。
【請求項１３】
ディスプレイが立体または平面として構成されている請求項１に記載のディスプレイ。
【請求項１４】
物品が家具である請求項１に記載のディスプレイ。
【請求項１５】
１の概念軸が、家具の機能数に対応しており、機能数が多いものから少ないものへと前記家具が順次配置されている請求項１４に記載のディスプレイ。
【請求項１６】
１の概念軸が、家具の視覚訴求度に対応しており、視覚訴求度が高いものから低いものへと前記家具が順次配置されている請求項１４に記載のディスプレイ。
【請求項１７】
１の概念軸が、家具の必要度に対応しており、必要度が高いものから低いものへと家具が順次配置されている請求項１４に記載のディスプレイ。
【請求項１８】
複数のパーツを組み合わせることにより構成された複数種の物品からなる物品群の展示方法であって、前記物品のパーツを表示する部分と色を表示する部分と物品を表示する部分とを設け、物品を表示する部分には複数の物品を２以上の概念軸に沿って順次配置する展示方法。
【発明の詳細な説明】
技術分野
本発明は、複数のパーツを組み合わせることにより複数の種類の物品が構成できるオーダーメイド物品の物品群を、まとめて展示するためのディスプレイまたは展示方法に関する。
さらには、このようなオーダーメイド物品の概念および内容を、消費者にとってわかりやすく直感的に表現したディスプレイまたは展示方法に関する。
背景技術
近年、コンピュータを用いた生産技術の発達により、部品類の工場生産を前提としながら、消費者が商品外観の色や一部の材質等をある程度の範囲から選択できる商品が、自動車、時計等、数多く知られている。さらには、色や材質のみならず、サイズや形態に関しても消費者の好みや必要性に対応してオーダーメイドできる商品が数多く出現している。例えば、家具、プレハブ住宅、靴、被服等が知られている。
ところが、これらの商品が有する多様さを消費者が直感的に理解するのはなかなかに困難である。多様さが色や材質にしか存在しない商品であれば、選択できる色や材質を変えた商品を単に羅列すればよい。しかし、色や材質のみならず、プレハブ住宅や家具のようにサイズや形態まで変化しうるような商品の場合は、商品のバリエーションが極めて多くなる。そのため、すべてのバリエーションの商品を消費者に提示することはほとんど不可能であるし、また、仮に表示できたとしても、消費者は、種類が多すぎて商品選択の基準がわからなくなり混乱してしまう。そのため、これらのような商品の場合、２、３の具体例だけを示して、バリエーションの多さを消費者に言葉で伝えるにとどめることも多い。
これを家具を具体例にとって説明すると、家具のオーダー製品に関して、コンピュータを用いることにより簡便かつ迅速に仕様決定と設計を行うことができる家具製作サポートシステムがすでに知られている（日本国特許第３０７９２０６号）。
このようなシステムを用いれば、従来、数週間を要した仕様決定から設計までを、きわめて短時間かつ低コストで行うことが可能になる。また、複数のパーツを任意に組み合わせ、かつ適宜寸法を変化させることにより、無限のバリエーションを有する様々な種類の家具を様々な大きさで簡単に設計することが可能になる。さらには、使用できるパーツのデザインをあらかじめ統一しておくことにより、複数種の家具のデザインに統一感を持たせることが簡単に行える。また、その完成状態をコンピュータ画面上であらかじめ確認することができるから、消費者は安心して家具を発注することができる。さらに、家具店にとっては、大量の展示用家具を大面積の展示スペースに陳列する必要が無くなり、その結果、家具の在庫負担や、大型店舗の維持負担を軽減することができる。
ところが、このようなコンピュータシステムを用いて、家具の完成状態をコンピュータ画面上で確認しながらオーダーを受けて販売する手法は、従来の家具販売手法とは全く異なり消費者にはなじみがない。さらに、比較的少数のパーツの組み合わせで無限のバリエーションが可能となるために、かえって、その多様さを商品の専門家でない消費者があらかじめ理解することは困難である。
このようなオーダーメイド商品の販売における特有の問題点を解消するには、商品売場にパーツを展示するとか、完成品を多数展示するなどの販売手法も考えられる。
しかし、消費者にとってパーツだけから商品の様々な形態の完成品をイメージすることは困難である。また、単に完成品を多数展示するのでは従来の販売手法と同じイメージになってしまい、販売店にとっては在庫負担等が生じる。さらに、消費者は、展示されている完成品にとらわれてしまい、デザインや寸法を自由に変化させうる特徴を理解できず、結果として従来商品との違いが理解できないおそれが生じる。
従って、本発明は、オーダー家具やプレハブ住宅のように、複数のパーツを自由に組み合わせ且つ寸法変化させることにより、色や材質みのならず、サイズや形態も異なる複数の種類の商品を自由に構成できる新しいオーダーメイド物品の概念を、消費者が直感的に理解できるディスプレイまたは展示方法を提案することを目的とする。
さらには、どのような物品が具体的に構成できるかを、消費者にとってわかりやすく、かつ消費者に注目され得るように表示できるディスプレイまたは提示方法を提案することを目的とする。
発明の開示
本発明は、複数のパーツを組み合わせることにより構成される複数種の物品からなる物品群のディスプレイであって、前記物品のパーツを表示するパーツ表示部と、前記物品の選択可能な色を表示する色表示部と、前記物品を表示する物品表示部とを有し、前記物品表示部には複数の物品が２以上の概念軸に沿って順次配置されているディスプレイである。この構成により、消費者は、オーダーメイド物品が、複数のパーツを組み合わせることにより複数種の物品を構成できるものであることを、直感的に理解することができる。
好ましくは、パーツ表示部若しくは色表示部と物品表示部との間に、パーツから物品への遷移を表示する誘導部を有する上記のディスプレイである。この構成により、パーツや色見本と物品とが、互いに関係づけられていることが直感的に理解しやすくなる。
好ましくは、パーツ表示部若しくは色表示部と誘導部とが互いに接して設けられており、前記誘導部と物品表示部とが互いに接して設けられている上記のディスプレイである。この構成により、パーツや色見本と物品とが、互いに関係づけられていることが、さらに理解しやすくなる。
より好ましくは、パーツ表示部、色表示部、誘導部、物品表示部が、順次直線的に配置されたものである上記のディスプレイである。この構成により、ディスプレイを見た消費者が、表示の流れに沿ってディスプレイを見ることにより、自然に物品の特性を理解することができる。
また、好ましくは、パーツ表示部および色表示部を略中心として、誘導部と物品表示部とが、前記中心の周辺部に順次配置されたものである上記のディスプレイである。この構成により、ディスプレイの全体構成を見た消費者が、物品の特性を直感的に理解しやすくなる。
好ましくは、パーツの数が３以上２０以下である上記のディスプレイである。この構成により、このような数少ないパーツから多様な物品が構成できることが理解できる。
好ましくは、パーツ表示部が、パーツを略直線的に配置した上記のディスプレイである。この構成により、パーツ表示部の幅が比較的狭く表示されるから、多様な物品群を生み出すパーツ数の少なさが直感的に理解できる。
好ましくは、物品表示部における２以上の概念軸の少なくとも２本が、互いに交差して設けられている上記のディスプレイである。この構成により、ディスプレイを見た消費者は、多様な物品の相互の関係を理解しやすくなる。
好ましくは、物品表示部における２以上の概念軸の少なくとも２本が、互いに略平行に設けられている上記のディスプレイである。この構成により、ディスプレイを見た消費者は、多様な物品の相互の関係を理解しやすくなる。
好ましくは、１の概念軸が、物品を構成するパーツの数に対応している上記のディスプレイである。この構成により、ディスプレイを見た消費者は、簡単な物品から複雑な構成の物品までいずれの物品も構成できることを理解できる。
好ましくは、１の概念軸が、パーツ表示部から距離的に遠い部分と近い部分を生じるように設けられ、かつ前記概念軸は物品を構成するパーツの数に対応するものであり、前記パーツ表示部から遠ざかるにつれて物品を構成するパーツの数が増加するように前記物品が配置されている上記のディスプレイである。この構成により、ディスプレイを見た消費者が、決められたパーツを使用して簡単な物品から複雑な構成の物品までが構成できることを理解できる。
好ましくは、１の概念軸が、物品を使用できる人数に対応しており、前記概念軸に沿って、前記人数が少ないものから多いものへと前記物品が順次配置されている上記のディスプレイである。この構成により、机などのように、物品を使用する人数があらかじめ想定されている物品をわかりやすく配列することができる。
好ましくは、ディスプレイが立体または平面として構成されている上記のディスプレイである。この構成により、ディスプレイを展示する場所の広さや寸法に応じたディスプレイを構成することができる。また、立体として構成した場合は、物品の実物に近いイメージを得ることが可能になる。
より好ましくは、物品が家具である上記のディスプレイである。この構成により、比較的少数のパーツ類を用いて多種多様な家具を構成できる特殊性を、消費者が容易に理解することが可能になる。
好ましくは、１の概念軸が、家具の機能数に対応しており、機能数が多いものから少ないものへと前記家具が順次配置されている上記のディスプレイである。この構成により、特にオフィス用家具において、消費者が必要とするものから順番に家具見本が配置でき、消費者の注目を得やすくなる。
好ましくは、１の概念軸が、家具の視覚訴求度に対応しており、視覚訴求度が高いものから低いものへと前記家具が順次配置されている上記のディスプレイである。この構成により、消費者の日常生活において、より長時間接する家具の家具見本から順番に配置することができるから、ディスプレイを見た消費者の注目を得やすくなる。
好ましくは、１の概念軸が、家具の必要度に対応しており、必要度が高いものから低いものへと家具が順次配置されている上記のディスプレイである。この構成により、多くの種類の家具見本を、よりわかりやすく表示することが可能になる。また、家具に対する消費者の注目を得やすくなる。
または、複数のパーツを組み合わせることにより構成された複数種の物品からなる物品群の展示方法であって、前記物品のパーツを表示する部分と色を表示する部分と物品を表示する部分とを設け、物品を表示する部分には複数の物品を２以上の概念軸に沿って順次配置する展示方法である。この構成により、消費者は、複数のパーツを組み合わせることにより複数種の物品を構成できる従来にない特徴と、それにより構成されうる物品の具体的内容を、直感的に理解することができる。
発明を実施するための最良の形態
以下、本発明における実施形態を図面を参照しながら説明する。
第１図は、本発明のディスプレイを２次元平面に構成した場合の構造例を示した概略図である。第１図のディスプレイ５は、鉛直方向の３本の実線１３により水平方向に対して４分割されている。左から複数のパーツを表示するパーツ表示部６、色を変えた複数のマスターデザインを表示する色表示部７、複数種類の物品の完成品を表示する物品表示部９が順次設けられ、さらに、色表示部７と物品表示部９の間には、色表示部７から物品表示部９への誘導表示を行なう誘導部８が設けられている。左から右への順序は、パーツから家具が構成される順序に対応している。なお、３本の実線１３は実際のディスプレイ上では表示されない。物品表示部９内には、家具見本を順次配置するための概念軸１０〜１２が設けられる。
第１図のパーツ表示部６は、ディスプレイ５の最も左側に設けられており、ここから物品の構成が開始されることを示している。パーツ表示部６は、比較的少数のパーツから多数の種類の物品が構成されることを消費者が理解できるようにするために、最も表示面積が小さくなるように構成されている。なお、物品のデザインに影響せず、消費者が選択する必要のないネジ類や釘類などのようなパーツは表示されない。
パーツ表示部６の右隣には、色表示部７が設けられている。ここには、異なる色だけを示した色見本若しくは各パーツを１つずつ使用した基本となるマスターデザインの色を代えて色見本としたものが表示される。色見本だけを表示する場合は、色表示部７はパーツ表示部６と同じ程度の面積でよいが、マスターデザインを用いて色見本として表示する場合は、物品表示部９に次ぐ面積で表示する。第１図の例では、マスターデザインが表示できるように構成されている。
色表示部７と物品表示部９の間には、少数の色見本から多数の物品へと誘導するための表示を行なう誘導部８が設けられている。誘導部８を設けることで、表示面積が比較的小さいパーツ表示部６もしくは色表示部７と、表示面積が比較的大きな物品表示部９とが、互いに関連づいていることが理解しやすくなる。誘導部８には、色見本から物品に至ることを示すための実線や破線による矢印記号や指差しマークのような記号類、若しくは色彩の変化によって色から物品への変化を示す色分けなどが表示される。
物品表示部９は、ディスプレイに向かって、ディスプレイ５の最も右端に設けられ、物品の構成の終了を示している。物品表示部９は、ディスプレイ５の中で最も面積が広くなるように設けられており、ここに複数種類の物品が多数表示される。
また、物品表示部９では、物品の一つ一つの意味が消費者に理解しやすいようにするために、２以上の概念軸が設けられこれらに沿って物品が配置される。この例では３本の概念軸が設けられ、１本の概念軸１０は物品表示部９の上部に、向かって右向き方向に表示され、概念軸１０と交差する縦方向の下向き概念軸１１と一緒になって、物品表示部９の上部の大部分に関してマトリックスを構成している。このマトリックスに対応して物品が表示される。また、物品表示部９の下部には、３本目の概念軸１２が概念軸１０と平行に設けられており、他の２本の概念軸とは独立に物品類が表示される。概念軸１０としてはパーツ数が用いられ、矢印方向に沿ってパーツ数が多い物品が表示される。また、概念軸１１として物品の用途が用いられ、物品ごとに特有の用途の違いによって物品が軸に沿って表示される。ここで用途の例としては、物品が家具であれは、箱物、脚物、その他の物等を用いることができる。物品がプレハブ建物であれば、店舗、住宅、倉庫、工場等を用いることができる。さらに、概念軸１２に沿っては、いずれかの物品にパーツを追加するに伴い、その物品のすぐ右隣の物品の種類または用途が順次変化していくように物品が表示される。このように表示することにより、比較的少数のパーツから様々な種類の物品が構成できることを直感的に理解することができる。
第２図は、第１図の構造を有するディスプレイに、パーツや物品を表示して看板として構成した場合の概略を示した図面である。パーツ表示部６には、パーツ類２０が８個表示され、色表示部７には、色が代わった物品のマスターデザイン２１が３個表示されている。誘導部８には、３個のマスターデザインと物品表示部９に表示された複数個の物品２３を結びつける複数の実線２２が表示されている。複数の実践は一点で交わり、その一点の左側ではマスターデザインの下図に対応して３方向に別れ、右側では物品が表示された行数に対応して４方向に分かれるようにして表示されている。このようにして色見本若しくはマスターデザインと物品との関係を消費者が直感的に理解できるようにしている。物品表示部には、それぞれの概念軸に沿った内容の物品の図２３が複数個表示されている。
このような構造と表示により、物品の消費者は、比較的少数のパーツから多くの種類の物品が構成できることを直感的に理解することが可能になる。
第２の例は、第１図のディスプレイ５におけるパーツ表示部６、色表示部７、誘導部８、物品表示部９の配置を、ディスプレイの上から下に流れるようにして構成したものである。この例を第３図（Ａ）に示す。第３図（Ａ）では、最上部に物品の商標などを表示する題字部３０が設けられ、その下から順にパーツ表示部３１、色表示部３２、誘導部３３、物品表示部３４が設けられている。
第３の例は、ディスプレイ中央上部にパーツ表示部と色表示部を設け、その周囲に誘導部、さらにその周りに物品表示部を設けるように配置したものである。この例を第３図の（Ｂ）に示す。第３図の（Ｂ）では、略中央上部にパーツ表示部４１が設けられ、その下に色表示部４２が、それらを取り巻くように誘導部３３が設けられ、さらに誘導部を取り囲むように物品表示部３５が設けられている。なお、第３図の２つの例では、概念軸の配置は省略してある。
いずれの構造のディスプレイであっても、第１図、第２図に示したものと同様に一定の構造を有し、物品表示部に概念軸を配置し、かつパーツ類や物品類を適宜配置することにより、第１図、第２図のディスプレイと同様の、直感的にわかりやすい、理解しやすいという効果を得ることができる。
第４の例は、第２図のディスプレイの物品として、より具体的に家具を選択した場合のディスプレイである。これを第４図に示す。
第４図のパーツ表示部には、パーツ１として、厚みの異なる引き出しが３種類、厚みが薄いものから順次表示され、さらに家具前面の扉が１種類表示され、その下には、天板と底板と２枚の側板と裏板とを組み合わせた扉のない箱形パーツが２個表示されている。上の箱形パーツには棚板が１枚設けられている。下の箱形パーツには棚板がなく、裏板には９つの円形の穴が設けられている。これらの穴は、意匠的意味合いの他に電気配線などを通す機能も有する。次に、天板や底板等に使用する水平板が表示され、最下段には１組の脚が２本だけ表示されている。これら８種のパーツは、脚と水平板を除いて、わかりやすくするために縦方向の長さが小さいものから大きいものへ順次直線的に並べられている。
色表示部には、白色、ベージュ、茶色の３種類の色見本２が、同じデザインの家具を色だけ代えて直線的に表示している（図面上、色の違いは表示されていない。）。ここに表示されているデザインは、左のパーツ８つすべてを１つずつ使用したマスターデザインである。
誘導部には、誘導線となる破線３が複数表示されている。誘導線は、まずディスプレイの中心となる水平線が設けられ、それの上下に、右方向に向かって水平方向からロート状に拡がるように折れ曲がる２組の破線が設けられている。
第４図のディスプレイの物品表示部は、上記の誘導線につながって設けられた５本の水平破線で鉛直方向に対して４つに分割されている。それぞれの段に家具４が表示されている。上３段は、家具の種類による分類がなされており、最上段が洋服たんす類、２段目が引出しを中心とする整理たんす類、３段目が机類であり、それぞれ左から右に移るにつれて使用するパーツの数が増加して、より複雑な構造を有する家具が表示されている。
第４図の物品表示部の最下段では、家具の種類は様々であるが、左から右に行くにつれて家具を構成するパーツの数が増加しているのは同じであるが、その際に、いずれの家具も隣に配置された家具と種類が異なるように配置されている。すなわち、最も左に配置された食卓テーブルの右隣には、洋服等の簡易型収納家具が配置され、その右隣には、サイドボードが配置され、その右隣には事務机が、その右隣には、食器棚が配置されている。このように配置することで、パーツを増やしていくことで、１つの種類の家具であれば、様々な大きさや仕様のものを構成できるし、さらに、家具の種類に関しても多様な家具が構成できることが直感的に理解できる。
第５の例は、第４図のディスプレイで、異なる概念軸を用いた例である。これを第５図に示す。
この例では、物品表示部の上３段の縦の概念軸として、家具を使用する家族の想定人数を選択し、想定人数が少ないものから多いものへ順次上から下に表示している。つまり、上から１段めは、家具を使用する家族の想定人数が一人の場合であり、ここでは独身者向けの比較的小型の各種の家具の家具見本が表示されている。２段めには、家具を使用する家族の想定人数が二人の場合が表示され、ここでは夫婦二人だけの新婚生活のための各種の家具の家具見本が表示されている。３段めには、家具を使用する家族の想定人数が三人以上の場合が表示され、ここでは、両親と子供を有するファミリー用の、比較的大型の各種の家具の家具見本が表示されている。このように表示することにより、多くの種類の家具をわかりやすく表示できる。
上から１〜３段の横方向の概念軸としては、家具の視覚訴求度を選択している。家具の視覚訴求度とは、一定期間（ここでは１週間）の生活において家族が家具に注目する合計時間が長いものは大きく、短いものは小さくなるようにして、経験則に基づいて下記の式で定義された数値をいう。
2003063114.tif 000002
ここで、家具が設置される部屋の点数は、以下の通りに相対定義している。
居間・・・・・・・・・・３点
台所・・・・・・・・・・２点
寝室その他・・・・・・・１点
家具は、それぞれが設置される部屋があらかじめ想定されているから、これを前提として上記の定義がなされている。家族が居間で過ごす時間の合計が相対的に長く、居間内の家具が家族の目に触れる機会が多いので、居間が相対的に大きい点数で定義されている。逆に、寝室では、眠る時間は長いものの、起きて家具を目にしながら過ごす時間は相対的に短いと考えられることから点数は小さく定義されている。台所はその両者の中間に位置すると考えられることから相対的に中間になるように定義されている。なお、家族の構成員によって、どの場所で過ごす時間が長いかは違いがあるが、その場合は、各員の平均で判断すればよい。さらに、これらとは異なる部屋の種類や数、組み合わせが想定されている場合も、上記と同様に相対評価して配置順序を決定すればよい。
家具を使用する想定人数の点数は、以下の通りに相対定義される。
３人以上・・・・・・・・・・３点
２人・・・・・・・・・・・・２点
１人・・・・・・・・・・・・１点
これは、１つの家具を使用する人数が多いほど、その家具に注目する時間の合計が大きくなるからである。居間におかれた家具は、家族の全員が使用すると考えられるが、台所におかれた家具や寝室におかれた家具を使用する人数は、多くの場合１人であると考えられるので、この点でも居間におかれる家具の点数が高くなる傾向にある。
次に、家具が使用される頻度の点数は、以下の通りに相対定義される。
毎日使用する・・・・・・・・３点
１週間に１回程度使用する・・２点
１ヶ月に１回程度使用する・・１点
頻度を含めているのは、使用頻度の大きい家具ほど注目されているとみなせるからである。
なお、家具を使用するとは、収納物を家具から取り出すなど、家具を実際に使用する場合だけではなく、テレビを見る場合やコンピュータを使用する場合などのように、家具に据え置いているものを使用する場合も、家具を使用する場合に含むものとする。
第５図の視覚訴求度に従った家具配置では、１段め、２段め、３段めのそれぞれにおいて、視覚訴求度の最も高いものを物品表示部の一番左に配置し、それから右にいくに従って順に視覚訴求度がより低いものを配置している。
ちなみに、人数３人以上の家族向け家具の、種類ごとの相対点数と視覚訴求度をまとめたものを第１表に示す。
2003063114.tif 000003
表から理解されるように、居間は家族が長い時間を過ごす部屋であるから、その居間に置かれることを想定されている家具が視覚訴求度が高い。逆に、個人で使用する部屋に置かれることを想定される家具の点数は相対的に低い。
第５図の物品表示部の上から３段目の家具見本の配置は、視覚訴求度に従って、左からサイドボード、整理タンス（居間用）、ダイニングテーブル、洋服ダンスの順となっている。
なお、視覚訴求度が同じ家具は、どちらを先に配置しても良い。
独身者用や新婚家庭用の家具に関しても、同様にして視覚訴求度を求めることができる。独身者向け家具の相対点数と視覚訴求度を第２表にまとめる。
2003063114.tif 000004
独身者の場合は、使用頻度が視覚訴求度に主に影響していることがわかる。これに従って、第５図の家具見本表示部の１段目は、左から整理ダンス２種類、机２種類、本棚２種類、食器戸棚が配置されている。
新婚家庭用家具の点数と視覚訴求度のまとめを第３表に示す。
2003063114.tif 000005
新婚家庭用では、設置場所と使用頻度の影響が大きいことがわかる。
これに従って、第５図の家具見本表示部の２段目は、左からサイドボード、整理ダンス（居間用）、ダイニングテーブル、食器戸棚、鏡台（鏡部分を除く。）が配置されている。
第５図の上３段の家具配置は、日常生活において経験的に利用度の高い家具から順に表示することにより、オーダー家具に対する消費者の興味もしくは注目を得やすくすることも目的としている。
なお、第５図の物品表示部の上から４段めは、家具を使用する家族の想定人数という概念軸には該当しない。ここでは、オフィス用家具の機能数を意味する横方向の概念軸が設けられ、機能数の多いものから少ないものが左から右へと順に配置されている。ここで、オフィス用家具の機能数は、以下のように家具の種類と構成により定まる。
まず、オフィス用家具が有すべき機能を分類すると、上に書類などをおいて人間が作業を行える作業台機能、ボールペンなどの小型事務用品を収納する小型収納機能、書類や書籍、ファイル類を格納する中型収納機能、コートや上着などの衣類を収納する大型収納機能、電話やファックス、コンピュータ等を据え置いて使用できる据置機能、複数の人間が周りに集合して会議する会議機能などがある。各家具ごとにどの機能を有するかを第４表に示す。
2003063114.tif 000006
例えば、事務机は、コートなどを収納することはできないが、その他の機能を果たすことはできるから機能数は５であり、それを単純に点数として５点となる。逆に、ロッカーは、コードなどを収納するための単機能家具であるから機能数は１であり、点数は１点である。他の家具類もこれと同様にして機能数を数えればよい。
機能数が多い家具は必要度が高い家具でもある。例えば、事務机をそろえておけば、書類棚がなくとも、ある程度は事務机で同じ機能を果たすことができる。従って、機能数が多い家具ほど必須の家具であると解され、そのような家具から順番にディスプレイに配置することで、消費者の注目を集めやすくなる。これに従って、第５図の物品表示部の最下段では、左から事務机、会議机、書類棚、ロッカーが順に配置されている。
ディスプレイの誘導部の表示は、破線を用いた方向指示でなくともよく、矢印や人物の図形等を用いても良いし、色分け等によって方向性を指し示すものであっても良い。
また、ディスプレイの概念軸に用いることができる物品の種類としては、物品として家具を選択した場合は、箱物に分類されるものとして、洋服ダンス、整理ダンス、衣裳ダンス等のタンス類、食器戸棚、サイドボード、吊り棚、本棚、下駄箱等の棚類があり、また、脚物に分類されるものとして、応接セット、居間用セット、食堂セット、学習机及びイス、事務机及びイス等があり、その他に分類されるものとして、鏡台、ベッド、収納間仕切り家具、その他の箱物、脚物に含まれない家具等があげられる。
本発明のディスプレイの概念軸として使用できる物品の種類としては、物品として家具を選択した場合は、箱物、脚物、その他とするか、タンス類、棚類、机イス類、その他という程度の大まかな種類分けが好ましい。この程度の種類分けに留めておくのがわかりやすく、かつそれぞれの種類の中において物品のバリエーションを数多く表示することができ、物品の多様性を理解しやすいからである。
なお、物品の種類の概念軸については、何らかの経験則によって種類ごとに分類していても良いが、種類の概念軸と交差する他の概念軸と併用することにより、各種類を単に並列に表示するのでも良い。例えば、種類の概念軸を縦軸とし、横軸に視覚訴求度もしくはパーツ数の概念軸を設ける表示である。具体的には、物品として家具を選択した場合には、上から順番にサイドボード類、机類、本棚類、タンス類の各段を設け、１段目はサイドボード類をパーツ数の概念軸にそって横方向に順次配置し、２段めには机類を同様に配置し、以下同様とすればよい。
また、物品の用途の概念軸を用いる場合の用途とは、例えば、物品が家具であれば、オフィス用、子供用、居間用、台所用、応接用などである。また、物品がプレハブ建物であれば、住宅用、事務所用、店舗用、工場用、倉庫用等である。
物品表示部で使用する概念軸は２本以上必要である。１本だけでは多数の種類の物品をわかりやすく配置することは困難である。２以上の概念軸は、互いに交差していても良い。２以上の概念軸として互いに交差しない概念軸のみを並行に用い、縦方向には任意に並べる表示でもよい。また、交差する概念軸と平行の概念軸を併用しても良い。多様性をわかりやすく表示するには、３本以上の概念軸を用いることが好ましい。しかし、概念軸の数が多すぎるとかえって理解しにくくなるので、概念軸の数は８本以下が好ましく、さらには、６本以下が好ましい。
第１図のディスプレイで、概念軸の配置を代えた例を第６図に示す。第６図の（Ａ）は、４本の概念軸を用いた例であるが、それら４本の概念軸がすべて交差していない例である。ディスプレイ５１の物品表示部５２には、４本の概念軸５３が設けられており、それらはいずれも並行に配置されている。上から３番目の概念軸が逆方向なのは、その方が消費者にとって理解しやすい概念軸だからである。第６図の（Ｂ）は、ディスプレイ５４の物品表示部５５において、やはり４本の概念軸５６が設けられているが、それらは２本ずつ交差し２本ずつ平行になるように設けられている。どのような配置にするにせよ。消費者が直感的に理解しやすいように配置する。
パーツの数は、３以上２０以下であることが望ましい。パーツの数を比較的少なく表示して、数少ないパーツから多くの種類の家具が構成できることを示すことが望ましいからである。
平面的なディスプレイは、第１図等の看板に限定されるものではなくポスターであってもよいし、あるいはテレビのテストパターンのごとくＣＲＴ（Ｃａｔｈｏｄｅ  Ｒａｙ  Ｔｕｂｅ）画面上の表示として構成されていてもよい。さらには、液晶表示装置、プラズマディスプレイまたは有機エレクトロルミネッセンス表示装置等の画面表示であってもよいし、映画のごとき投射映法によって表示されるものでもよく、特に限定されない。
本発明のディスプレイは、平面に限られるものではなく、三次元の立体であっても良い。具体的には、家具の質感や奥行きを表すために、パーツや家具を三次元の模型等を用いて表示する立体看板であっても良い。また、ホログラム等を利用した立体映像として表示しても良い。
以上、この発明の実施例を図面を参照して詳述してきたが、具体的な構成は上記の実施例に限られるものではなく、この発明の思想を逸脱しない設計変更も含まれる。
産業上の利用の可能性
本発明のディスプレイは、デパート、専門販売店などの各種物品を取り扱う小売業界において、物品の展示や販売に利用される。また、物品を製造する業界において、インターネット等を介して直接販売を行う際の画面表示として利用される。さらには、コンビニエンスストアや喫茶店等の比較的小規模の店舗で物品販売を行う際に利用される。
【図面の簡単な説明】
第１図は、本発明のディスプレイを平面に構成した場合の構造例を示した概念図である。
第２図は、第１図の構造を有するディスプレイにパーツ等を表示し、看板を構成した場合の概略図である。
第３図は、他のディスプレイの構造例を示した概念図である。
第４図は、第２図のディスプレイに家具類を表示した例を示した概略図である。
第５図は、第４図のディスプレイの概念軸を異なる概念軸に代え、家具の配置も変化させた例を示した概略図である。
第６図は、第１図のディスプレイの、概念軸の配置を変化させた例を示した概略図である。
【図１】
2003063114.tif 000007
【図２】
2003063114.tif 000008
【図３】
2003063114.tif 000009
【図４】
2003063114.tif 000010
【図５】
2003063114.tif 000011
【図６】
2003063114.tif 000012